(57)【要約】【課題】複数種類の光ディスクを使用できる光ピックアップを小型化する。【解決手段】第１のビームスプリッタ３１に対して波長選択性及び偏光選択性を持たせたことにより、当該第１のビームスプリッタによって光路の合成と、第１の出射光ビームと第１の反射光ビームの分離とを行わせることができ、これにより光ピックアップ６の部品点数を削減して、当該光ピックアップ６を小型化でき、ひいては当該光ピックアップ６を搭載する光ディスク装置１自体を小型化することができる。【選択図】  図２
2007157236.tif 000002
【特許請求の範囲】
【請求項１】
第１の光ディスクに対応する波長でなり、第１の偏光方向を有する第１の出射光ビームを当該第１の光ディスクに照射するとともに、上記第１の出射光ビームが上記第１の光ディスクで反射されてなる、第２の偏光方向を有する第１の反射光ビームを受光して第１の受光手段に入射させる第１の光路と、
第２の光ディスクに対応する波長でなり、上記第１の偏光方向を有する第２の出射光ビームを当該第２の光ディスクに照射するとともに、上記第２の出射光ビームが上記第２の光ディスクで反射されてなる、上記第２の偏光方向を有する第２の反射光ビームを受光して第２の受光手段に入射させる第２の光路と、
上記第１及び第２の光路の一部を合成するとともに、上記第１の出射光ビームと第１の入射光ビームとを分離させる第１のビームスプリッタと、
上記第２の出射光ビームと第２の入射光ビームとを分離させる第２のビームスプリッタと
を具え、
上記第１のビームスプリッタは、上記第１の光ディスクに対応する波長の光について、上記第１の偏光方向を有する光を略全反射するとともに上記第２の偏光方向を有する光を略全透過し、上記第２の光ディスクに対応する波長の光を偏光方向に係わらず略全透過し、
上記第２のビームスプリッタは、上記第１の偏光方向を有する光を波長に係わらず略全反射するとともに、上記第２の偏光方向を有する光を波長に係わらず略全透過する
ことを特徴とする光ピックアップ。
【請求項２】
上記第１及び第２のビームスプリッタは一体に形成されている
ことを特徴とする請求項１に記載の光ピックアップ。
【請求項３】
第１の光ディスクに対応する波長でなり、第１の偏光方向を有する第１の出射光ビームを当該第１の光ディスクに照射するとともに、上記第１の出射光ビームが上記第１の光ディスクで反射されてなる、第２の偏光方向を有する第１の反射光ビームを受光して第１の受光手段に入射させる第１の光路と、
第２の光ディスクに対応する波長でなり、上記第１の偏光方向を有する第２の出射光ビームを当該第２の光ディスクに照射するとともに、上記第２の出射光ビームが上記第２の光ディスクで反射されてなる、上記第２の偏光方向を有する第２の反射光ビームを受光して第２の受光手段に入射させる第２の光路と、
上記第１及び第２の光路の一部を合成するとともに、上記第１の出射光ビームと第１の入射光ビームとを分離させる第１のビームスプリッタと、
上記第２の出射光ビームと第２の入射光ビームとを分離させる第２のビームスプリッタと
を具え、
上記第１のビームスプリッタは、上記第１の光ディスクに対応する波長の光について、上記第１の偏光方向を有する光を略全反射するとともに上記第２の偏光方向を有する光を略全透過し、上記第２の光ディスクに対応する波長の光を偏光方向に係わらず略全透過し、
上記第２のビームスプリッタは、上記第１の偏光方向を有する光を波長に係わらず略全反射するとともに、上記第２の偏光方向を有する光を波長に係わらず略全透過する
ことを特徴とする光ディスク装置。
【請求項４】
上記第１及び第２のビームスプリッタは一体に形成されている
ことを特徴とする請求項３に記載の光ディスク装置。
【発明の詳細な説明】
【技術分野】
【０００１】
本発明は、光ディスク装置の光ピックアップに適用して好適なものである。
【背景技術】
【０００２】
従来、ＣＤ（Compact Disc）やＤＶＤ（Digital Versatile Disc）等の赤色レーザ光を用いる光ディスクが広く普及しているが、さらなる記録密度の向上及び大容量化の要求に応えるため、波長４０５[nm]の青色レーザ光を用いるブルーレイディスク（登録商標）などの次世代光ディスクが登場している。
【０００３】
これに伴い、ＣＤ、ＤＶＤ及びブルーレイディスク（以下、ＢＤとも呼ぶ）の３種類のディスクを使用し得るようになされた光ディスク装置が開発されている。このような複数種類ディスク対応の光ディスク装置では、ディスクが使用するレーザの波長に応じて、ＣＤ及びＤＶＤ兼用の光ピックアップと、ＢＤ専用の光ピックアップとを設けることが考えられるが、この場合２つの光ピックアップを要することにより光ディスク装置が大型化してしまうという問題がある。
【０００４】
このため、複数種類ディスク対応の光ディスク装置において、ＣＤ、ＤＶＤ及びＢＤを１つの光ピックアップで記録再生できるようにした光ディスクドライブが提案されている（例えば、特許文献１参照）。
【０００５】
上述したようにＢＤ用のレーザ光は波長が４０５[nm]であり、ＣＤ用やＤＶＤ用のレーザ光とはその波長が大きく異なるため、レーザ光源としてＣＤ／ＤＶＤ用の２波長レーザダイオードと、ＢＤ用レーザダイオードの２つを光ピックアップに設けることが考えられる。
【特許文献１】特開２００３−３２３７３５公報
【発明の開示】
【発明が解決しようとする課題】
【０００６】
上述したＣＤ／ＤＶＤ用とＢＤ用の２つのレーザダイオードを有する光ピックアップにおいて、ＣＤ／ＤＶＤ用の光路とＢＤ用の光路を共用するようにすれば、光ピックアップを小型化でき、ひいては光ディスク装置全体をも小型化できると考えられる。
【０００７】
本発明は以上の点を考慮してなされたもので、小型でかつ構成複数種類の光ディスクを使用し得る光ピックアップ及びこの光ピックアップを用いた光ディスク装置を提案しようとするものである。
【課題を解決するための手段】
【０００８】
かかる課題を解決するため本発明においては、第１の光ディスクに対応する波長でなり第１の偏光方向を有する第１の出射光ビームを当該第１の光ディスクに照射するとともに、第１の出射光ビームが第１の光ディスクで反射されてなる第２の偏光方向を有する第１の反射光ビームを受光して第１の受光手段に入射させる第１の光路と、第２の光ディスクに対応する波長でなり第１の偏光方向を有する第２の出射光ビームを当該第２の光ディスクに照射するとともに、第２の出射光ビームが第２の光ディスクで反射されてなる第２の偏光方向を有する第２の反射光ビームを受光して第２の受光手段に入射させる第２の光路と、第１及び第２の光路の一部を合成するとともに、第１の出射光ビームと第１の入射光ビームとを分離させる第１のビームスプリッタと、第２の出射光ビームと第２の入射光ビームとを分離させる第２のビームスプリッタとを設け、第１のビームスプリッタは、第１の光ディスクに対応する波長の光について第１の偏光方向を有する光を略全反射するとともに第２の偏光方向を有する光を略全透過し、第２の光ディスクに対応する波長の光を偏光方向に係わらず略全透過し、第２のビームスプリッタは、第１の偏光方向を有する光を波長に係わらず略全反射するとともに、第２の偏光方向を有する光を波長に係わらず略全透過するようにした。
【０００９】
第１のビームスプリッタに波長選択性及び偏光選択性を持たせたことにより、当該第１のビームスプリッタは第１及び第２の光路の合成機能と、第１の出射光ビームと第１の反射光ビームの分離機能とを担うことができ、これにより光ピックアップの部品点数を削減して、当該光ピックアップを小型化できる。
【発明の効果】
【００１０】
本発明によれば、第１の光ディスクに対応する波長でなり第１の偏光方向を有する第１の出射光ビームを当該第１の光ディスクに照射するとともに、第１の出射光ビームが第１の光ディスクで反射されてなる第２の偏光方向を有する第１の反射光ビームを受光して第１の受光手段に入射させる第１の光路と、第２の光ディスクに対応する波長でなり第１の偏光方向を有する第２の出射光ビームを当該第２の光ディスクに照射するとともに、第２の出射光ビームが第２の光ディスクで反射されてなる第２の偏光方向を有する第２の反射光ビームを受光して第２の受光手段に入射させる第２の光路と、第１及び第２の光路の一部を合成するとともに、第１の出射光ビームと第１の入射光ビームとを分離させる第１のビームスプリッタと、第２の出射光ビームと第２の入射光ビームとを分離させる第２のビームスプリッタとを設け、第１のビームスプリッタは、第１の光ディスクに対応する波長の光について第１の偏光方向を有する光を略全反射するとともに第２の偏光方向を有する光を略全透過し、第２の光ディスクに対応する波長の光を偏光方向に係わらず略全透過し、第２のビームスプリッタは、第１の偏光方向を有する光を波長に係わらず略全反射するとともに、第２の偏光方向を有する光を波長に係わらず略全透過するようにしたことにより、第１のビームスプリッタによって、第１及び第２の光路の合成と、第１の出射光ビームと第１の反射光ビームの分離とを行うことができ、これにより光ピックアップの部品点数を削減して、光ピックアップ及び光ディスク装置を小型化することができる。
【発明を実施するための最良の形態】
【００１１】
以下図面について、本発明の一実施の形態を詳述する。
【００１２】
（１）光ディスク装置の全体構成
図１において、１はＤＶＤ、ＣＤ及びブルーレイディスクを記録再生し得るようになされた光ディスク装置を示し、制御部２が全体を統括制御するようになされている。制御部２はモータ３を制御して光ディスク４を回転駆動するとともに、光ピックアップ６を制御して、光ディスク４に対しその種別（ＤＶＤ、ＣＤ又はブルーレイディスク）に応じた波長の出射光ビームを照射する。そして光ピックアップ６は出射光ビームが光ディスク４で反射されてなる反射光ビームを検出して再生信号を生成し、これを信号処理部５に供給する。信号処理部５は再生信号に対して所定の信号処理を施した後外部に出力する。
【００１３】
（２）光ピックアップの構成
図２は本発明を適用したＤＶＤ、ＣＤ及びブルーレイディスク対応の光ピックアップ６の構成を示し、ブルーレイディスク用の出射光ビームと、ＤＶＤ及びＣＤ用の出射光ビームとをそれぞれ個別のレーザダイオードから出射し、これらの出射光ビームを３波長共用の対物レンズで光ディスクに照射するとともにその反射光を受光し、さらにこれらの反射光ビームを一つの３波長共用の受光素子で受光するようになされている。
【００１４】
すなわち光ピックアップ６は、第１の光ディスクとしてのブルーレイディスクを使用する場合、ＢＤ用のレーザダイオード１０から波長４０５[nm]の青色レーザでなる青色出射光ビームを出射し、１／２波長板１１に入射する。１／２波長板１１は、第１の出射光ビームとしての青色出射光ビームを、第１の偏光方向としてのＳ偏光に変換し、本発明の特徴である複合ビームスプリッタ３０のダイクロイック偏光ビームスプリッタ３１に入射する。詳しくは後述するが、第１のビームスプリッタとしてのダイクロイック偏光ビームスプリッタ３１は、青色出射光ビームをその波長及び偏光に応じて９０°反射し、コリメータレンズ１２に入射する。
【００１５】
コリメータレンズ１２は、発散光でなる青色出射光ビームを平行光に変換して１／４波長板１３に入射する。１／４波長板１３は青色出射光ビームを円偏光に変換し、さらに立ち上げミラー１４によってその光軸を上方（光ディスク方向）立ち上げて３波長共用の対物レンズ１５に入射させる。
【００１６】
対物レンズ１５は青色出射光ビームを集光してブルーレイディスクでなる光ディスク４（図１）の記録層に照射するとともに、当該記録層で反射された青色反射光ビームを受光し、立ち上げミラー１５を介して１／４波長板１３を透過させる。このとき、青色反射光ビームは光ディスク４の記録層で反射されたことによって円偏光の回転方向が反転されており、このため１／４波長板３６を透過した第１の反射光ビームとしての青色反射光ビームは、第２の偏光方向としてのＰ偏光に変換される。
【００１７】
コリメータレンズ１２は、１／４波長板３６を透過した青色反射光ビームを収束光に変換し、複合ビームスプリッタ３０のダイクロイック偏光ビームスプリッタ３１に入射する。第１のビームスプリッタとしてのダイクロイック偏光ビームスプリッタ３１は、青色反射光ビームをその波長及び偏光方向に応じて透過し、偏光ビームスプリッタ３２に入射する。
【００１８】
第２のビームスプリッタとしての偏光ビームスプリッタ３２は、Ｐ偏光でなる青色反射光ビームをその偏光方向に応じて透過し、凹レンズ１６及びホログラフィック光学素子１７を介して３波長共用の受光素子１８に照射する。そして受光素子１８は受光した青色反射光ビームの光量に基づいて各種検出信号を生成し、信号処理部５（図１）に供給する。
【００１９】
一方、ＤＶＤ又はＣＤを使用する場合、光ピックアップ６は２波長レーザダイオード１９から、使用するディスク（ＤＶＤ又はＣＤ）に対応した赤色又は赤外レーザでなる出射光ビーム（以下これを赤／赤外出射光ビームと呼ぶ）を出射し、１／２波長板２０に入射する。１／２波長板２０は第２の出射光ビームとしての赤／赤外出射光ビームをＳ偏光に変換し、回折格子２１及びシリンドリカルレンズ２２を介して、複合ビームスプリッタ３０の偏光ビームスプリッタ３２に入射する。偏光ビームスプリッタ３２はＳ偏光でなる赤／赤外出射光ビームをその偏光に応じて９０°反射し、ダイクロイック偏光ビームスプリッタ３１に入射する。
【００２０】
ダイクロイック偏光ビームスプリッタ３１は、赤／赤外出射光ビームをその波長に応じて透過してコリメータレンズ１２に入射する。コリメータレンズ１２は、発散光でなる赤／赤外出射光ビームを平行光に変換して１／４波長板１３に入射する。１／４波長板１３は赤／赤外青色出射光ビームを円偏光に変換し、さらに立ち上げミラー１４によってその光軸を上方（光ディスク方向）立ち上げて３波長共用の対物レンズ１５に入射させる。
【００２１】
対物レンズ１５は赤／赤外出射光ビームを集光してＤＶＤ又はＣＤでなる光ディスク４（図１）の記録層に照射するとともに、当該記録層で反射された赤／赤外反射光ビームを受光し、立ち上げミラー１５を介して１／４波長板１３を透過させる。このとき、第２の反射光ビームとしての赤／赤外出射光ビームは光ディスク４の記録層で反射されたことによって円偏光の回転方向が反転されており、このため１／４波長板３６を透過した赤／赤外反射光ビームはＰ偏光となる。
【００２２】
コリメータレンズ１２は、１／４波長板３６を透過した赤／赤外反射光ビームを収束光に変換し、複合ビームスプリッタ３０のダイクロイック偏光ビームスプリッタ３１に入射する。ダイクロイック偏光ビームスプリッタ３１は、赤／赤外反射光ビームをその波長に応じて透過し、偏光ビームスプリッタ３２に入射する。
【００２３】
偏光ビームスプリッタ３２は、Ｐ偏光でなる赤／赤外反射光ビームをその偏光方向に応じて透過し、凹レンズ１６及びホログラフィック光学素子１７を介して３波長共用の受光素子１８に照射する。そして受光素子１８は受光した赤／赤外反射光ビームの光量に基づいて各種検出信号を生成し、信号処理部５（図１）に供給する。
【００２４】
かくして光ピックアップ６は、ブルーレイディスク、ＤＶＤ及びＣＤに対し、３波長共用の対物レンズ１５及び受光素子１８を用いて再生を行うようになされている。
【００２５】
（３）複合ビームスプリッタの構成
次に、本発明による複合ビームスプリッタ３０について説明する。上述したようにこの光ピックアップ６では、ブルーレイディスク、ＤＶＤ及びＣＤに対し、３波長共用の対物レンズ１５及び受光素子１８を用いて記録再生を行うようになされており、ブルーレイディスク用の光路及びＣＤ／ＤＶＤ用の光路の一部（ダイクロイック偏光ビームスプリッタ３１〜対物レンズ１５の間）を共通化することにより、当該光ピックアップ６の小型化及び構成の簡易化を実現している。
【００２６】
これに加えて本発明の光ピックアップ６では、偏光選択性及び波長選択性を有するダイクロイック偏光ビームスプリッタ３１を用いて、ブルーレイディスク用光路とＣＤ／ＤＶＤ用光路とを合成及び分岐するようにした。
【００２７】
図２に示すようにダイクロイック偏光ビームスプリッタ３１は、第１のプリズム３１ａと第２のプリズム３１ｂとの間に偏光ダイクロイック膜３１ｃを挟んで構成されている。この偏光ダイクロイック膜３１ｃは、波長７８０[nm]でなるＣＤ用の赤外レーザや波長６５０[nm]でなるＤＶＤ用の赤色レーザに対しては、その偏光方向に係わらずほぼ１００％透過するよう、その特性が選定されている。
【００２８】
一方、波長４０５[nm]でなるブルーレイディスク用の青色レーザに対しては、偏光ダイクロイック膜３１ｃは、Ｓ偏光をほぼ１００％透過するとともにＰ偏光をほぼ１００％透過するよう、その特性が選定されている。
【００２９】
これによりダイクロイック偏光ビームスプリッタ３１は、Ｓ偏光でなる青色出射光ビームとＰ偏光でなる青色反射光ビームとをその波長及び偏光方向に応じて分離するとともに、青色反射光ビームと赤／赤外反射光ビームとをその波長に応じて分離することができる。
【００３０】
このため光ピックアップ６は、ブルーレイディスク用及びＣＤ／ＤＶＤ用光路の合成及び分岐と、ブルーレイディスク用の青色出射光ビーム及び青色反射光ビームの分離とを一つのダイクロイック偏光ビームスプリッタ３１によって行うことができ、これにより光ピックアップ６を構成する部品点数を削減することができる。
【００３１】
かかる構成に加えてこの光ピックアップ６では、複合ビームスプリッタ３０を構成するダイクロイック偏光ビームスプリッタ３１及び偏光ビームスプリッタ３２がいずれも偏光ビームスプリッタであることから、両者の硝材を共通化することにより当該ダイクロイック偏光ビームスプリッタ３１及び偏光ビームスプリッタ３２を一体化している。
【００３２】
すなわち図２に示すように、ダイクロイック偏光ビームスプリッタ３１は第１のプリズム３１ａと第２のプリズム３１ｂとの間にダイクロイック偏光膜３１ｃを挟んで構成されているのに対し、偏光ビームスプリッタ３２は第３のプリズム３２ａと第４のプリズム３２ｂとの間に偏光膜３２ｃを挟んで構成されている。そして、第１のプリズム３１ａ、第２のプリズム３１ｂ、第３のプリズム３２ａ及び第４のプリズム３２ｂはいずれも同一の硝材で形成されている。
【００３３】
そして本発明の光ピックアップ６では、複合ビームスプリッタ３０を構成する各プリズムの硝材が同一であることから、ダイクロイック偏光ビームスプリッタ３１と偏光ビームスプリッタ３２とを密着させて、対向する第２のプリズム３１ｂと第３のプリズム３２ａとを一体化することができる。
【００３４】
すなわち本発明の複合ビームスプリッタ３０は、第２のプリズム３１ｂと第３のプリズム３２ａとを一体化して大プリズム３０ａを形成し、当該大プリズム３０ａと、第１のプリズム３１ａと、第４のプリズム３２ｂとで複合ビームスプリッタ３０を構成するようにした。
【００３５】
このようにダイクロイック偏光ビームスプリッタ３１と無偏光ビームスプリッタ３２とを一体化することにより、複合ビームスプリッタ３０の部品点数を削減するとともに小型化することができ、これにより光ピックアップ６及び光ディスク装置１をも小型化することができる。
【００３６】
（４）動作及び効果
以上の構成において、本発明の光ピックアップ６では、ブルーレイディスク用の光路とＤＶＤ及びＣＤ用の光路の一部を共通化することにより当該光ピックアップ６を小型化した。
【００３７】
そして光ピックアップ６では、ブルーレイディスク用の光路とＤＶＤ及びＣＤ用の光路とを合成する光路合成手段、及び青色出射光ビームと青色反射光ビームとを分離する第１の出反射光分離手段として、赤色や赤外レーザについては偏光方向に係わらず略全透過するとともに、青色レーザについてはＳ偏光を略全反射するとともにＰ偏光を略透過するよう特性が選定されたダイクロイック偏光ビームスプリッタ３１を用いるようにした。
【００３８】
これにより光ピックアップ６では、当該ダイクロイック偏光ビームスプリッタ３１のみによって、青色出射光ビーム及び赤／赤外出射光ビームそれぞれの光路を合成して３波長共用の対物レンズに入射させることができるとともに、青色反射光ビーム及び赤／赤外反射光ビームの双方を偏光ビームスプリッタ３２に入射させることができ、これにより光ピックアップ６の部品点数を削減できるとともに、当該光ピックアップ６を小型化できる。
【００３９】
さらに光ピックアップ６では、赤／赤外出射光ビームと赤／赤外反射光ビームとを分離する第２の出反射光分離手段として、波長に係わらずＳ偏光を略全反射するとともにＰ偏光を略透過するよう特性が選定された偏光ビームスプリッタ３２を用いるようにした。
【００４０】
これにより光ピックアップ６では、当該偏光ビームスプリッタ３２によって赤／赤外出射光ビームをダイクロイック偏光ビームスプリッタ３１に入射させて、その光路を青色出射光ビームの光路と合成させることができるとともに、青色反射光ビーム及び赤／赤外反射光ビームの双方を３波長共用の受光素子１８に入射させることができる。
【００４１】
そして光ピックアップ６では、ダイクロイック偏光ビームスプリッタ３１と偏光ビームスプリッタ３２とを同一の硝材で形成し、ダイクロイック偏光ビームスプリッタ３１の第２のプリズム３１ｂと、偏光ビームスプリッタ３２の第３のプリズム３２ａとを一体化して大プリズム３０ａを構成するようにした。
【００４２】
このようにダイクロイック偏光ビームスプリッタ３１と偏光ビームスプリッタ３２とを一体化することにより、複合ビームスプリッタ３０の部品点数を削減するとともに小型化することができ、これにより光ピックアップ６の部品点数を削減できるとともに、当該光ピックアップ６を小型化できる。
【００４３】
以上の構成によれば、ブルーレイディスク用の光路とＤＶＤ／ＣＤ用の光路とを合成する光路合成手段及び青色出射光ビームと青色反射光ビームとを分離する第１の出反射光分離手段として、波長選択性及び偏光選択性を有するダイクロイック偏光ビームスプリッタ３１を用いるとともに、赤／赤外出射光ビームと赤／赤外反射光ビームとを分離する第２の出反射光分離手段として、偏光選択性のみを有する偏光ビームスプリッタ３２を用い、さらに当該ダイクロイック偏光ビームスプリッタ３１と偏光ビームスプリッタ３２と一体化して複合ビームスプリッタ３０を形成することにより、光ピックアップ６の部品点数削減及び小型化を実現でき、ひいては当該光ピックアップ６を搭載する光ディスク装置１自体を小型化することができる。
【００４４】
（５）他の実施の形態
なお上述の実施の形態においては、第１の出反射光分離手段としてのダイクロイック偏光ビームスプリッタ３１について、青色レーザのみに偏光選択性を持たせることにより、当該ダイクロイック偏光ビームスプリッタ３１によって青色出射光ビームと青色反射光ビームとを分離するようにしたが、本発明はこれに限らず、ダイクロイック偏光ビームスプリッタについて赤／赤外レーザのみに偏光選択性を持たせるようにし、当該ダイクロイック偏光ビームスプリッタによって赤／赤外出射光ビームと赤／赤外反射光ビームとを分離するようにしてもよい。
【００４５】
図２との対応部分に共通符号を付して示す図３は、このような構成の光ピックアップ４０を示し、ダイクロイック偏光ビームスプリッタ４１の偏光ダイクロイック膜４１ｃは、ブルーレイディスク用の青色レーザに対しては偏光方向に係わらずほぼ１００％透過するのに対し、ＤＶＤ用の赤色レーザやＣＤ用の赤外レーザに対しては、Ｓ偏光をほぼ１００％透過するとともにＰ偏光をほぼ１００％透過するよう、その特性が選定されている。
【００４６】
そしてダイクロイック偏光ビームスプリッタ４１の偏光ダイクロイック膜４１ｃは、２波長レーザダイオード１９から出射されたＳ偏光でなる赤／赤外出射光ビームを９０°反射して対物レンズ１５に入射するとともに、当該対物レンズ１５からのＰ偏光でなる赤／赤外出射光ビームを透過して偏光ビームスプリッタ３２に入射する。
【００４７】
またダイクロイック偏光ビームスプリッタ４１の偏光ダイクロイック膜４１ｃは、偏光ビームスプリッタ３２からの青色出射光ビームを透過して対物レンズ１５に入射するとともに、当該対物レンズ１５からの青色出射光ビームを透過して偏光ビームスプリッタ３２に入射する。
【００４８】
このようにダイクロイック偏光ビームスプリッタ４１について赤／赤外レーザのみに偏光選択性を持たせるようにしても、図２に示した光ピックアップと同様に動作させることができ、光ピックアップ６の部品点数を削減できるとともに、当該光ピックアップ６を小型化できる。
【図面の簡単な説明】
【００４９】
【図１】本発明による光ディスク装置の構成を示す略線図である。
【図２】本発明による光ピックアップの構成を示す略線図である。
【図３】他の実施の形態による光ピックアップの構成を示す略線図である。
【符号の説明】
【００５０】
１……光ディスク装置、６、４０……光ピックアップ、１０、１９……レーザダイオード、１１……１／２波長板、１２……コリメータレンズ、１３……１／４波長板、１４……立ち上げミラー、１５……対物レンズ、１６……凹レンズ、１７……ホログラフィック光学素子、１８……受光素子、３０、４１……複合ビームスプリッタ、３１、４２……ダイクロイック偏光ビームスプリッタ、３２……偏光ビームスプリッタ。
【図１】
2007157236.tif 000003
【図２】
2007157236.tif 000004
【図３】
2007157236.tif 000005